(57)【要約】【課題】  メラニン生成抑制剤を用いることによる美白効果及びリラックス効果を有し、かつ、優れた安全性を有する繊維製品及びその製造方法を提供する。【課題を解決するための手段】提供する。【解決手段】  メラニン生成抑制剤を付着させた繊維製品であって、上記メラニン生成抑制剤は、下記一般式（１）；【化１】2005113297.tif 000007で表される化合物を含有するものである繊維製品。【選択図】    なし【特許請求の範囲】
【請求項１】
メラニン生成抑制剤を付着させた繊維製品であって、
前記メラニン生成抑制剤は、下記一般式（１）；
【化１】
2005113297.tif 000006
（式中、Ｒ１は炭素数１〜２０のアルキル基を示す。）
で表される化合物を含有するものである
ことを特徴とする繊維製品。
【請求項２】
一般式（１）で表される化合物の付着量は、繊維製品１００質量％に対して、０．００００１〜１０質量％である請求項１記載の繊維製品。
【請求項３】
一般式（１）で表される化合物は、３−テトラデセン−４−オリドである請求項１又は２記載の繊維製品。
【請求項４】
更に、その他の香気成分を付着させたものである請求項１、２又は３記載の繊維製品。
【請求項５】
メラニン生成抑制剤を、
（ａ）有機マイクロカプセルに内包、
（ｂ）無機マイクロカプセルに内包、
（ｃ）サイクロデキストリンに内包、
（ｄ）バインダー内部に充填、又は、
（ｅ）ベシクル構造体に内包
のいずれかの形態で、繊維製品に付着してなるものである請求項１、２、３又は４記載の繊維製品。
【請求項６】
メラニン生成抑制剤は、その他の香気成分とともに（ａ）〜（ｅ）のいずれかの形態で繊維製品に付着してなるものである請求項５記載の繊維製品。
【請求項７】
メラニン生成抑制剤は、有機マイクロカプセル化され、シリコン系又はウレタン系樹脂バインダーにより繊維製品に付着してなるものである請求項１、２、３、４、５又は６記載の繊維製品。
【請求項８】
繊維製品は、セルロース系繊維からなるものである請求項１、２、３、４、５、６又は７記載の繊維製品。
【請求項９】
請求項１、２、３、４、５、６、７又は８記載の繊維製品をパッド法、浸漬法又はスプレー法によって製造することを特徴とする繊維製品の製造方法。
【発明の詳細な説明】
【技術分野】
【０００１】
本発明は、繊維製品及びその製造方法に関する。
【背景技術】
【０００２】
皮膚のメラニン沈着は、メラニン産生細胞であるメラノサイト内にメラニンが沈着することや、メラノサイトの樹状突起からメラニンが表皮角化細胞に移行することによって起こることが知られている。また、一般にシミ、ソバカス、日焼け等における皮膚の色素沈着は、皮膚内に存在するメラニン色素産生細胞がメラニン色素を過剰に産生することに起因するとされている。
【０００３】
このため、メラニン色素の産生を抑制する物質の検討が広く行われており、例えば、メラノサイトに対する細胞毒性によるもの、メラノサイト内でのチロシナーゼの活性を抑制するもの、チロシナーゼの発現を抑制するもの、チロシナーゼ活性により生成したドーパキノンから自動酸化によりメラニンに至る経路で酸化を防止する方法等が知られている。
【０００４】
このようなメラニン生成抑制剤としては、例えば、システイン、グルタチオン、ビタミンＣ（非特許文献１）、コウジ酸（非特許文献２）、トリコデルマ属に属する微生物の産生物（特許文献１）、乳蛋白質のアルカリ分解物（特許文献２）、乳蛋白質の加水分解物（特許文献３）、コウジ酸のアミノ酸誘導体とペプチド誘導体（特許文献４）、チロシナーゼ活性阻害機能を有する香料化合物群（特許文献５）、各種植物抽出物等が知られている。また、特許文献６及び特許文献７には、特定構造を有するメラニン生成抑制機能を有する香料化合物群及びチロシナーゼ活性阻害機能を有する香料化合物群が開示されている。
【０００５】
これらの文献に開示されているメラニン生成抑制剤は、医薬品、医薬部外品、化粧品の成分として使用することを目的とするものや、食品中に使用することを目的とするものである。
【０００６】
また、布帛表面にメラニン生成抑制剤を付着させ、これを徐々に放出させて皮膚上に供与することにより美白効果を奏する繊維製品も開示されている。例えば、特許文献８には、機能性物質と、加水分解タンパク質及び架橋剤とを併用した加工溶液を繊維に付与し、これを乾燥、加熱処理することにより機能性物質を繊維に固着することが記載されている。また、特許文献９には、美白成分と、それとエステル結合、アセタール結合等の化学結合を形成する化合物とをセルロース繊維又は繊維製品に付着させ、乾燥、加熱処理をすることにより、美白成分を繊維に固着することが記載されている。
【０００７】
しかしながら、これらに用いられる美白成分は、安全性に問題があるものや、臭気が問題となるものであった。また、美白成分を繊維と化学結合させるものであり、効果が実用上において満足できないものであった。
【０００８】
【特許文献１】特開平２−１４５１８９号公報
【特許文献２】特公昭５８−１７７６３号公報
【特許文献３】特開平５−３２００６８号公報
【特許文献４】特開平４−１８７６１８号公報
【特許文献５】特開２００１−１６３７１９号公報
【特許文献６】特開２０００−３０２６４２号公報
【特許文献７】特開２００１−２４０５２８号公報
【特許文献８】特開２０００−２１２８７４号公報
【特許文献９】特開２００３−１５５６６５号公報
【非特許文献１】三島豊等、基礎皮膚化学、第２５８ページ、朝倉書店、昭和４８年
【非特許文献２】日経産業新聞、昭和６３年５月２４日
【発明の開示】
【発明が解決しようとする課題】
【０００９】
本発明は、上記現状に鑑み、メラニン生成抑制剤を用いることによる美白効果及びリラックス効果を有し、かつ、優れた安全性を有する繊維製品及びその製造方法を提供することを目的とするものである。
【課題を解決するための手段】
【００１０】
本発明は、メラニン生成抑制剤を付着させた繊維製品であって、上記メラニン生成抑制剤は、下記一般式（１）；
【００１１】
【化２】
2005113297.tif 000002
【００１２】
（式中、Ｒ１は炭素数１〜２０のアルキル基を示す。）
で表される化合物を含有するものであることを特徴とする繊維製品である。
上記一般式（１）で表される化合物の付着量は、上記繊維製品１００質量％に対して、０．００００１〜１０質量％であることが好ましい。
【００１３】
上記一般式（１）で表される化合物は、３−テトラデセン−４−オリドであることが好ましい。
上記繊維製品は、更に、その他の香気成分を付着させたものであることが好ましい。
【００１４】
上記メラニン生成抑制剤を、（ａ）有機マイクロカプセルに内包、（ｂ）無機マイクロカプセルに内包、（ｃ）サイクロデキストリンに内包、（ｄ）バインダー内部に充填、又は、（ｅ）ベシクル構造体に内包のいずれかの形態で、繊維製品に付着してなるものであることが好ましい。
【００１５】
上記メラニン生成抑制剤は、上記その他の香気成分とともに上記（ａ）〜（ｅ）のいずれかの形態で繊維製品に付着してなるものであることが好ましい。
上記メラニン生成抑制剤は、有機マイクロカプセル化され、シリコン系又はウレタン系樹脂バインダーにより繊維製品に付着してなるものであることが好ましい。
上記繊維製品は、セルロース系繊維からなるものであることが好ましい。
【００１６】
本発明はまた、上記繊維製品をパッド法、浸漬法又はスプレー法によって製造することを特徴とする繊維製品の製造方法でもある。
以下、本発明を詳細に説明する。
【００１７】
本発明の繊維製品は、上記一般式（１）で表される化合物を含有するメラニン生成抑制剤を付着したものである。これにより、上記繊維製品は美白効果を有するものとなるため、このような効果が要求される種々の繊維製品として好適に用いることができるものである。
【００１８】
本発明の繊維製品の特徴は、上記一般式（１）で表される化合物を含有するメラニン生成抑制剤として付着させることである。上記一般式（１）で表される特定の化合物を繊維製品に付着させることによって、美白効果がより発揮されることとなる。また、上記一般式（１）で表される化合物を用いると、美白効果だけでなく、その香気によってリラックス効果も発揮される。
【００１９】
上記一般式（１）中において、Ｒ１は、炭素数の下限が１、上限が２０のアルキル基である。上記Ｒ１で表される基は、直鎖、分岐鎖、環状のいずれであってもよい。上記下限は、１５であることがより好ましい。
【００２０】
上記Ｒ１が炭素数１〜２０のアルキル基である一般式（１）で表される化合物としては、特に限定されず、例えば、３−ペンテン−４−オリド、３−ヘキセン−４−オリド、３−ヘプテン−４−オリド、３−オクテン−４−オリド、３−ノネン−４−オリド、３−デセン−４−オリド、３−ウンデセン−４−オリド、３−ドデセン−４−オリド、３−トリデセン−４−オリド、３−テトラデセン−４−オリド、３−ペンタデセン−４−オリド、３−ヘキサデセン−４−オリド、３−ヘプタデセン−４−オリド、３−オクタデセン−４−オリド、３−ノナデセン−４−オリド等を挙げることができる。なかでも、美白効果が優れている観点から、３−テトラデセン−４−オリド、３−ペンタデセン−４−オリドが好ましい。上記一般式（１）で表される化合物は、単独で用いてもよく、２種以上を併用してもよい。
【００２１】
上記繊維製品において、上記一般式（１）で表される化合物の付着量は、上記繊維製品１００質量％に対して、下限０．００００１質量％、上限１０質量％であることが好ましい。０．００００１質量％未満であると、美白効果が不充分となるおそれがある。１０質量％を超えると、繊維の風合いを損ない、また、効果の向上も見られないおそれがある。上記下限は、０．００００５質量％であることがより好ましく、０．０００１質量％であることが更に好ましい。上記上限は、５質量％であることがより好ましく、１質量％であることが更に好ましい。
【００２２】
上記付着量を測定する方法としては、繊維製品にメラニン生成抑制剤を含有する処理剤に含浸又は塗布した後、絞り後の当該繊維製品の重量増加分から概算する方法や、乾燥後の繊維製品から溶剤等でマイクロカプセルを溶解させ、高速クロマトグラフィー（ＨＰＬＣ）で定量する方法等を挙げることができる。
【００２３】
上記一般式（１）で表される化合物は、公知の方法に準じて合成することができ、例えば、Ｔｅｔｒａｈｅｄｒｏｎ  Ｌｅｔｔ．（１９８１）、２２（５１）、５１９１−５［桑島、浦部］に記載されている方法に従い２−トリメチルシリルフランと過酢酸との反応で容易に合成することができる。
【００２４】
上記メラニン生成抑制剤は、上記一般式（１）で表される化合物だけでなく、例えば、アルブチン、コウジ酸、アスコルビン酸等の他のメラニン生成抑制剤を併用するものであってもよい。
【００２５】
上記繊維製品において、上記メラニン生成抑制剤の付着量（上記一般式（１）で表される化合物及び上記その他のメラニン生成抑制剤の合計付着量）は、上記繊維製品１００質量％に対して、下限０．００００１質量％、上限１０質量％である。０．００００１質量％未満であると、美白効果が不充分となるおそれがある。１０質量％を超えると、繊維の風合いを損ない、また、効果の向上も見られないおそれがある。上記下限は、０．００００５質量％であることがより好ましく、０．０００１質量％であることが更に好ましい。上記上限は、５質量％であることがより好ましく、１質量％であることが更に好ましい。
【００２６】
本発明の繊維製品は、上記メラニン生成抑制剤の他に、更に、その他の香気成分を付着させたものであることが好ましい。適宜選択したその他の香気成分を付着させることによって、香気成分に起因するリラックス効果を向上させることができる。
【００２７】
上記その他の香気成分としては特に限定されず、例えば、天然香料、合成香料、香気を発生する化合物の液状又は粉体の１種又は混合物を挙げることができる。なかでも、リラックス効果を向上させる点から、例えば、シス−３−ヘキサン−１−アール、メチルイオノン、γ−ウンデカラクトン、酢酸、酢酸エチル、アミルプロピオネート、フェニルエチルアルコール、ゲラニオール、バニリン等のアロマテラピー効果を発するものを使用することが好ましい。
【００２８】
上記香気成分の使用量は、その種類及び目的により異なるが、上記メラニン生成抑制剤（上記一般式（１）で表される化合物及び上記その他のメラニン生成抑制剤の合計量）１００質量％に対して、下限１倍、上限５０倍程度使用するのが好ましい。１倍未満であると、添加による効果が見られないおそれがある。５０倍を超えても、効果の向上が見られないおそれがある。
【００２９】
また、上記繊維製品は、更に、下記一般式（２）及び／又は一般式（３）で表される化合物を付着したものであってもよい。これにより、上記効果に加え、脂肪分解促進効果を安定して得ることができる。式中、Ｒ２は、水素原子、単糖類若しくは少糖類の残基、又は、炭素数２〜２０のアシル基である。
【００３０】
上記単糖類としては、グルコース、ガラクトース、マンノース、ラムノース、キシロース、リボース、アラビノース、グルコサミン、ガラクトサミン等を挙げることができる。また、上記少糖類は、二糖類から六糖類までを指し、具体的には、ラクトース、マルト−ス、シュークロース、セロビオース、イソマルトース、エピラクトース等の二糖類、ラフィノース、ゲンチアノース、メレチトース、マルチトリオース、セロトリオース、マンニノトリオース等の三糖類、スタキオース等の四糖類等を挙げることができる。
【００３１】
上記一般式（２）及び／又は一般式（３）で表される化合物のなかでも、Ｒ２が水素原子又はグルコース残基であることが好ましい。これらの一般式（２）及び／又は一般式（３）で表される化合物は、単独で用いてもよく、２種以上を併用してもよい。
【００３２】
【化３】
2005113297.tif 000003
【００３３】
上記一般式（２）及び／又は一般式（３）で表される化合物の使用量は、上記メラニン生成抑制剤１００質量％に対して、下限１倍、上限５０倍程度使用するのが好ましい。１倍未満であると、添加による効果が見られないおそれがある。５０倍を超えても、効果の向上が見られないおそれがある。
【００３４】
本発明で使用する繊維製品としては特に限定されず、例えば、糸、紐類、織物、編物、不織布、立毛布、皮革、毛皮、これらの二次製品、例えば、コート、着物スーツ、ユニフォーム、セーター、スカート、スラックス、カーディガン、スポーツウェア、ドレスシャツ、カジュアルウェア等の外衣、パジャマ、ショーツ、ランジェリー、ファンデーション、ホージャリー等の下着類、ストッキング、ソックス等の靴下類、スリッパ等の履物類、布団側地、シーツ、布団カバー、毛布等の寝装品、手袋、ネクタイ、スカーフ、ショール等の小物類等を挙げることができる。上記繊維製品は、繊維の種類も特に限定されず、周知の天然繊維、半合成繊維、合成繊維等を挙げることができる。なかでも、セルロース系繊維からなるものであることが好ましい。
【００３５】
上記一般式（１）で表される化合物を含有するメラニン生成抑制剤、及び、必要に応じて香気成分等の他の成分とを含む処理液による繊維製品の加工方法は特に限定されず、パッド法、浸漬法、スプレー法等の公知の方法により付着させることができる。
【００３６】
上記パッド法、浸漬法、スプレー法の代表的な加工方法は、以下の通りである。
（１）パッド法：処理液を繊維製品にパッディング後、２〜４ｋｇ／ｃｍ２で絞り、１２０〜１３０℃で２〜３分乾燥する。
（２）浸漬法：４０℃、ｐＨ４〜５の処理液に繊維製品を約３０分浸漬、脱液後、１２０〜１３０℃で２〜３分の乾燥する。
（３）スプレー法：処理液を繊維製品にスプレー塗布後、１２０〜１３０℃で２〜３分乾燥する。
【００３７】
上記メラニン生成抑制剤は、下記のような形態で繊維に付着させることが好ましい。これにより、上記メラニン生成抑制剤の徐放性を容易に制御できるため、美白効果を持続的に発揮させることができる。
（ａ）有機マイクロカプセルに内包させてバインダーとともに繊維に塗布する方法
（ｂ）無機マイクロカプセルに内包させてバインダーとともに繊維に塗布する方法
（ｃ）サイクロデキストリンに内包させてバインダーとともに繊維に塗布する方法
（ｄ）バインダー内部に充填させて繊維に塗布する方法
（ｅ）ベシクル構造体（例えば、カチオン性のベシクル構造体）の油層部に封入し、バインダーとともに繊維に塗布する方法
【００３８】
上記メラニン生成抑制剤は、上記その他の香気成分とともに上記（ａ）〜（ｅ）のいずれかの形態で繊維製品に付着してなるものであることが好ましい。これにより、上記メラニン生成抑制剤及び上記その他の香気成分の徐放性を容易に制御できるため、美白効果及びリラックス効果を持続的に発揮させることができる。
【００３９】
上記メラニン生成抑制剤及び必要に応じて上記その他の香気成分等の他の成分を有機マイクロカプセルに内包する方法は、例えば、ＩＮ  ＳＩＴＥ重合法や界面重合法等の公知の方法によって製造することができる（工業技術ライブラリー２５、近藤朝士著、日刊工業新聞社発行、昭和４５年、特公昭３７−７７２４号公報等参照）。ホルマリン系樹脂を壁膜とするものは、例えば、上記メラニン生成抑制剤を含む溶剤溶液を配合した芯成分物質と尿素又はメラミンとを水中に乳化させ（乳化剤はポリスチレンスルホン酸ソーダ、ポリアクリル酸ソーダ、アクリル酸共重合物、マレイン酸共重合物、ポリビニルアルコール、ポリエチレングリコール、アクリル酸共重合物やマレイン酸共重合物）必要によりｐＨ調整を行う。水温は４０℃程度で、ホルマリン水溶液を加えた後、攪拌下７０℃に昇温して重縮合反応させる。次いで、生成したマイクロカプセルを濾過・乾燥すると、上記メラニン生成抑制剤及び必要に応じて上記その他の香気成分等の他の成分とを内包する有機マイクロカプセルが得られる。なお、大きさは主として攪拌の強弱と乳化剤の濃度により、壁膜の含有量は主として油滴中の尿素又はメラミンの濃度により、また、壁膜の多孔性は主としてホルマリンの濃度によりコントロールできる（緻密にするためには高濃度のホルマリンを使う）。また、上記メラニン生成抑制剤及び必要に応じて上記その他の香気成分等の他の成分を希釈するために、例えば、ベンジルベンゾエート、デシルアルコール、ラウリルアルコール、グリセリン等のアルコール類、ステアリン酸ラウリル、パルミチン酸グリセライド等のエステル類、ハッカ油、つばき油、大豆油、ゴマ油、なたね油、やし油、チョウジ油、テレピン油、牛脂、ユーカリ油等の天然油を芯成分物質として共存させることもできる（この場合、マイクロカプセルの壁膜と相溶性がないものを選択する）。
【００４０】
上記メラニン生成抑制剤及び必要に応じて上記その他の香気成分等の他の成分を無機マイクロカプセルに内包する方法は、例えば、特開昭６１−２２７９１３号公報に記載されるような、多孔質シリカ微小球体に、上記メラニン生成抑制剤及び必要に応じて上記その他の香気成分等の他の成分を保持させて得ることができる。
【００４１】
上記メラニン生成抑制剤及び必要に応じて上記その他の香気成分等の他の成分をサイクロデキストリン（ＣＤ）に内包する方法としては、例えば、特開平６−３２２６７０号公報に記載されているようなα−ＣＤ、β−ＣＤ、γ−ＣＤのそれぞれ単品及びこれらの混合物、更にはこれらの混合物にデキストリン等が混ざったものやマルトシルＣＤ、グルコシルＣＤ、ジメチルＣＤのような分岐ＣＤ、修飾ＣＤを用いて、上記メラニン生成抑制剤及び必要に応じて上記その他の香気成分等の他の成分を内包させ、バインダーと共に繊維に塗布させて得ることができる。
【００４２】
上記メラニン生成抑制剤及び必要に応じて上記その他の香気成分等の他の成分をバインダー内部に充填させる方法は、例えば、上記メラニン生成抑制剤及び必要に応じて上記その他の香気成分等の他の成分とバインダーとを混合することによって行うことができる。
【００４３】
上記ベシクル構造体は、特定の濃度において、分子集合体を形成する界面活性剤を利用するもので、界面活性剤分子集合体、即ちベシクル袋状２分子膜は、膜の構造上、水相と油相を有する。例えば、その油相に、上記メラニン生成抑制剤及び必要に応じて上記その他の香気成分等の他の成分をベンジルベンゾエート等の溶剤に溶解し、ベシクル構造体の油相部へ保持させることによって、ベシクル構造体（例えば、カチオン性のベシクル構造体）の油層部に封入することができる。
【００４４】
また、無機質担持体である二酸化ケイ素の微粒子をシリル化すると油性物質を吸着するので、上記メラニン生成抑制剤及び必要に応じて上記その他の香気成分等の他の成分をベンジルベンゾエート等の溶剤に溶解し、上記シリル化二酸化ケイ素に吸着させて使用してもよい。
【００４５】
上記（ａ）〜（ｅ）の方法によって繊維製品に付着させる場合に使用するバインダーとしては特に限定されず、例えば、シリコン系、ウレタン系、酢酸ビニル系、アクリル系、塩化ビニル系、フェノール系等の樹脂、加工澱粉等の糊剤等繊維処理剤として公知のものを用いることができる。なかでも、ゴム状皮膜を形成するシリコン系やウレタン系等の樹脂が耐久性及び圧力緩衝性の点で好ましい。特にシリコン系樹脂バインダーは、コーティング効果に優れ、マイクロカプセル等と繊維製品（布帛等）の間に接着剤として機能するものであり、なかでも、水への分散性に優れ、水で容易に希釈可能なシリコン系水性エマルジョン型、例えば、オルガノポリシロキサンを主成分として乳化剤で乳化したものが好ましい。これは水の除去により硬化し、シリコンゴムの特徴を有するゴム状皮膜を形成し、耐久性のある接着効果を奏するものである。これらのうち、更に１３０℃以下で乾燥及び処理できるものが好ましい。また、上記バインダーは、溶液タイプでもエマルジョンタイプでもよいが、取扱い易さと価格の点で水性エマルジョンタイプが好ましい。なかでも、シリコン系樹脂、ウレタン系樹脂又は酢酸ビニル系樹脂の水性エマルジョンが、水の除去により硬化してゴム状皮膜を形成し、耐久性のある接着効果を奏するので、本発明では、これらを使用するのが好ましい。また、シリコン系樹脂やウレタン系樹脂の使用は、例えば、特開平１−２８００８０号公報、特開平２−６６７１号公報に記載されているような方法で使用することが好ましい。
【００４６】
上記メラニン生成抑制剤は、有機マイクロカプセル化され、シリコン系又はウレタン系樹脂バインダーにより繊維製品に付着してなるものであることが特に好ましい。このようにして得られる繊維製品は、美白効果に優れるだけでなく、耐久性及び圧力緩衝性にも優れるものであるため、特に好適に使用することができる。
【００４７】
上記マイクロカプセルの大きさは、通常、平均粒径が下限１μｍ（好ましくは５μｍ）、上限５０μｍ（好ましくは２５μｍ）であって、特に粒径分布の大部分が５〜２５μｍの範囲に入るものが好適である。そして、壁材が尿素−ホルマリン樹脂の場合には、粒子径が下限２μｍ（好ましくは５μｍ）、上限５０μｍ（好ましくは２５μｍ）、壁厚が下限０．１μｍ（好ましくは０．５μｍ）、上限２５μｍ（好ましくは４μｍ）程度であって、また、壁材がメラミン−ホルマリン樹脂の場合は、粒子径が５μｍ、上限５０μｍ（好ましくは２５μｍ）、壁厚が下限０．２μｍ（好ましくは０．５μｍ）、上限３０μｍ（好ましくは６μｍ）程度である。
【００４８】
上記有機マイクロカプセル又は上記無機マイクロカプセルに内包させてバインダーとともに繊維に塗布する方法を用いる場合には、上記マイクロカプセルに対して、下限０．１倍、上限５倍（質量比）の範囲内でバインダーを使用することが好ましい。０．１倍未満であると、バインダー作用が極端に劣るおそれがある。５倍を超えても、マイクロカプセルの付着率はほとんど変わらず、逆に繊維や布地の柔軟な風合いにおいて問題が引き起こされ好ましくない。上記下限は、０．２倍であることがより好ましく、上記上限は、２倍であることがより好ましい。
【００４９】
上記繊維製品は、例えば、上述したパッド法、浸漬法又はスプレー法によって製造することができる。このような繊維製品の製造方法も本発明の１つである。
【００５０】
本発明の繊維製品は、上記一般式（１）で表される化合物を含有するメラニン生成抑制剤を付着させたものであるため、美白効果を発揮させることができるものであり、上記一般式（１）で表される化合物の香気によってリラックス効果も発揮させることができるものでもある。特に、上記メラニン生成抑制剤だけでなく、その他の香気成分を付着させた場合には、その香気によってリラックス効果をより向上させることがでるため、より好適な繊維製品を得ることができる。従って、糸、紐類、織物、編物、不織布、立毛布、皮革、毛皮、これらの二次製品等の繊維製品として好適に用いることができる。
【発明の効果】
【００５１】
本発明の繊維製品は、上述した構成よりなるので、美白効果及びリラックス効果を有し、かつ、優れた安全性を有するものであるため、これらの効果を有する繊維製品として好適に用いることができる。
【発明を実施するための最良の形態】
【００５２】
以下本発明について実施例を掲げて更に詳しく説明するが、本発明はこれらの実施例のみに限定されるものではない。また実施例中、「部」、「％」は特に断りのない限り「質量部」、「質量％」を意味する。
【００５３】
実施例１〜４
毛焼・糊抜・精錬・晒・シルケット加工した綿１００％の平織物（経：４０Ｓ、１２０本／インチ、緯：４０Ｓ、６０本／インチ）に、３−テトラデセン−４−オリド１０質量％、香料４０質量％、ベンジルベンゾエート５０質量％からなる溶液を含む平均粒子径７μｍのマイクロカプセル（ホルマリン系樹脂を壁剤とする）を表１に示すバインダー溶液に分散させた処理液をパディング法で適用し、２〜４ｋｇ／ｃｍ２で絞り、１２０〜１３０℃×２〜３分の乾燥をした。
得られた製品の、洗濯試験１０回後（Ｗ＝１０）と洗濯試験３０回後（Ｗ＝３０）の香りの耐久性及びマイクロカプセルの付着状態を表１に示した。
【００５４】
【表１】
2005113297.tif 000004
【００５５】
表１から、実施例で得られた繊維製品は、耐久性に優れるものであり、洗濯後であってもマイクロカプセルが充分に付着しており、香りも保持されているため、充分な徐放性を有するものであることが明らかとなった。
【００５６】
Ｂ１６メラノーマ細胞を用いたメラニン生成抑制試験
（試験方法）
Ｂ１６メラノーマ細胞を播種し、２４時間後サンプルを含有したテオフィリン入り培地に交換し、７２時間後細胞を１０％ＴＣＡ処理した後エタノール：ジエチルエーテル＝１：１で処理し、更に１０％ＤＭＳＯを含有する１ｍｏｌ／ＬＮａＯＨ液にメラニンを溶解させ、ＯＤ４７５を測定し、メラニン量とした。また、同時に細胞数も求め、細胞当たりのメラニン合成量を算出した。
【００５７】
（計算式）
抑制率（％）＝（Ａ−Ｂ）／Ａ×１００（但し、Ａ：サンプル無添加時の細胞当たりのメラニン合成量、Ｂ：サンプル添加時の細胞当たりのメラニン合成量）
結果を表２に示した。
【００５８】
【表２】
2005113297.tif 000005
【００５９】
表２から、上記一般式（１）で表される化合物がＢ１６メラノーマ細胞に対して、優れたメラニン生成抑制効果を示すことが明らかとなり、また、炭素鎖が長い方が細胞内のメラニン生成を抑制する効果が高いことが確認された。従って、上記一般式（１）で表される化合物を含有するメラニン生成抑制剤を内包させたマイクロカプセルを付着させた繊維製品を使用した場合に、メラニン生成抑制剤が徐放され、その結果、美白効果及びリラックス効果が発揮されることが明らかである。
【産業上の利用可能性】
【００６０】
本発明の繊維製品は、美白効果及びリラックス効果を発揮するものであるため、このような用途が要求される糸、紐類、織物、編物、不織布、立毛布、皮革、毛皮、これらの二次製品（外衣、下着類、靴下類、履物類、寝装品、小物類等）等に好適に使用することができる。